(57)【要約】【課題】波のエネルギーを水車の回転エネルギーに効率よく変換し、発電効率を高めることができる波力発電装置を提供する。【解決手段】波力発電装置は波力を利用して発電を行う。波力発電装置は、少なくとも一部が水中に配置される壁体１０に設けられたスリット部１０Ａの長方形状に開口した両端開口１，２の夫々における長手方向に延びる中心線Ｘ１，Ｘ２の２本を含んで広がる仮想第１平面Ｙをはさんで、各中心線Ｘ１，Ｘ２に平行に延びた一対の回転軸部３１，３２、及び回転翼部３５を有し、各回転軸部３１，３２を中心にして回転する方向が異なる一対の水車３０と、これら水車３０Ａ、３０Ｂの回転エネルギーを電気エネルギーに変換して発電を行う発電機５０とを備えている。【選択図】図１
2015214926.tif 000002
【特許請求の範囲】
【請求項１】
波力を利用して発電を行う波力発電装置であって、
少なくとも一部が水中に配置される壁体に設けられたスリット部の長方形状に開口した両端開口の夫々における長手方向に延びる中心線の２本を含んで広がる仮想第１平面をはさんで、前記各中心線に平行に延びた一対の回転軸部、及び回転翼部を有し、前記各回転軸部を中心にして回転する方向が異なる一対の水車と、
これら水車の回転エネルギーを電気エネルギーに変換する発電機とを備えていることを特徴とする波力発電装置。
【請求項２】
前記水車の直径は前記スリット部の両端開口の短手方向の幅よりも大きいことを特徴とする請求項１記載の波力発電装置。
【請求項３】
前記スリット部、前記水車の順に通過する第１方向の波、又は前記水車、前記スリット部の順に通過する第２方向の波を整流する整流部材を備えていることを特徴とする請求項１又は２記載の波力発電装置。
【請求項４】
前記整流部材は前記一対の水車に対して前記スリット部とは反対側に配置された第１整流部材であることを特徴とする請求項３記載の波力発電装置。
【請求項５】
前記整流部材は、前記一対の水車における各水車の回転中心の両外側の外側領域で、前記各水車の回転中心を含む仮想第２平面よりも前記スリット部側において、前記仮想第１平面の対称位置に配置された第２整流部材であることを特徴とする請求項３又は４記載の波力発電装置。
【請求項６】
前記整流部材は前記スリット部と前記一対の水車との間に配置された第３整流部材であることを特徴とする請求項３記載の波力発電装置。
【請求項７】
前記整流部材は、前記外側領域において前記仮想第２平面よりも前記スリット部から離れており、前記仮想第１平面の対称位置に配置された第４整流部材であることを特徴とする請求項３又は６記載の波力発電装置。
【発明の詳細な説明】
【技術分野】
【０００１】
本発明は波力発電装置に関するものである。
【背景技術】
【０００２】
特許文献１は従来の波力発電装置を開示している。この波力発電装置は、スリット部を有する壁体、回転軸部と回転翼部とを有して回転軸部を中心に回転する水車、及び水車の回転エネルギーを電気エネルギーに変換する発電機を備えている。スリット部は、両端開口が鉛直方向に長い長方形状に開口しており、大部分が水中に配置されている。水車は、壁体の正面視において、スリット部の両端開口の夫々における長手方向に延びる中心線に重なるように回転軸が配置されている。この波力発電装置は、波がスリット部を通過する際に増速されるため、弱い波でも水車を回転させ、発電することができる。
【先行技術文献】
【特許文献】
【０００３】
【特許文献１】特開２０１３−１８１４２８号公報
【発明の概要】
【発明が解決しようとする課題】
【０００４】
しかし、特許文献１の波力発電装置は、回転軸部が、壁体の正面視において、スリット部の両端開口の夫々における長手方向に延びる中心線に重なるように配置されている。このため、この波力発電装置は、スリット部を通過した波が水車の回転中心に対して左右の領域で回転翼部に衝突する。このため、例えば、回転中心より左側の領域で波が回転翼部に衝突して水車が一方向に回転する一方、回転中心より右側の領域でも波が回転翼部に衝突し、水車が一方向に回転する抵抗になる。よって、この波力発電装置は波のエネルギーを水車の回転エネルギーに充分に変換することができない。
【０００５】
本発明は、上記従来の実情に鑑みてなされたものであって、波のエネルギーを水車の回転エネルギーに効率よく変換し、発電効率を高めることができる波力発電装置を提供することを解決すべき課題としている。
【課題を解決するための手段】
【０００６】
本発明の波力発電装置は、波力を利用して発電を行う波力発電装置であって、少なくとも一部が水中に配置される壁体に設けられたスリット部の長方形状に開口した両端開口の夫々における長手方向に延びる中心線の２本を含んで広がる仮想第１平面をはさんで、前記各中心線に平行に延びた一対の回転軸部、及び回転翼部を有し、前記各回転軸部を中心にして回転する方向が異なる一対の水車と、
これら水車の回転エネルギーを電気エネルギーに変換する発電機とを備えていることを特徴とする。
【発明の効果】
【０００７】
この波力発電装置は、回転軸部を中心にして回転する方向が異なる一対の水車を備えている。これら水車の回転軸部は、スリット部の両端開口の夫々における長手方向に延びる中心線の２本を含んで広がる仮想第１平面をはさんだ位置において、中心線に平行に延びている。このため、この波力発電装置は、スリット部を通過して水車側へ移動する波のほとんどが、各水車の回転中心に対して左右一方側の領域を通過し、その領域で回転翼部に衝突する。例えば、この波力発電装置は、スリット部を通過した波のほとんどが、一対の水車における各水車の回転中心の間の中間領域を通過するようにして、この中間領域で各水車の回転翼部に衝突させることができる。このため、この波力発電装置は、波のエネルギーのほとんどを各水車が夫々の回転方向に回転するように利用することができる。
【０００８】
したがって、本発明の波力発電装置は、波のエネルギーを水車の回転エネルギーに効率よく変換し、発電効率を高めることができる。
【図面の簡単な説明】
【０００９】
【図１】実施例１の波力発電装置を示す正面図である。
【図２】実施例１の波力発電装置を示す断面図である。
【図３】実施例１の水車周辺を示す断面図である。
【図４】実施例２の水車周辺を示す断面図である。
【図５】実施例３の水車周辺を示す断面図である。
【図６】実施例４の水車周辺を示す断面図である。
【発明を実施するための形態】
【００１０】
本発明の波力発電装置を具体化した実施例１〜４について、図面を参照しつつ説明する。
【００１１】
＜実施例１＞
実施例１の波力発電装置は、図１〜図３に示すように、複数のスリット部１０Ａを有する壁体１０、一対の水車３０、及び発電機５０を備えている。壁体１０は、所定の厚みを有し、上下高さよりも左右幅が大きい長方形状である。各スリット部１０Ａは両端開口１，２が同一の長方形状に開口している。各スリット部１０Ａは両端開口１，２の長辺が上下方向に延びるように設けられている。各スリット部１０Ａは壁体１０の左右方向に等間隔で並んでいる。
【００１２】
壁体１０は、上下左右の各端部に連続した上壁体１１、下壁体１２、左壁体（図示せず）、右壁体（図示せず）、及びこれら各壁体の後端部に連続して壁体１０に対向する後壁体１３とともに内部に消波用空間Ｓを形成した中空の直方体形状の箱体を構成している。
【００１３】
この箱体は、スリット部１０Ａの長手方向が鉛直方向に延びるように、海、川又は湖に配置される。詳しくは、後壁体１３が海、川又は湖の岸の側面Ｋに接し、下壁体１２が海、川又は湖の底Ｂに接するように配置される。また、箱体の上部（壁体１０の上部、左壁体の上部、右壁体の上部、及び上壁体１１）が水面より上方に露出し、各スリット部１０Ａの上部も水面より上方に開口するように配置される。このように各スリット部１０Ａは上部を除いて水中に配置される。
【００１４】
波力発電装置は、図１及び図３に示すように、一つのスリット部１０Ａに対して一対の水車３０が箱体内（消波用空間Ｓ）のスリット部１０Ａの近傍に配置されている。つまり、各水車３０Ａ，３０Ｂが壁体１０の消波用空間Ｓ側の側面に近接した状態で配置されている。各水車３０Ａ，３０Ｂは、図２に示すように、上回転軸部３１、下回転軸部３２、上支持板部３３、下支持板部３４、及び回転翼部３５を有している。上回転軸部３１と下回転軸部３２とは同軸上に延びている。
【００１５】
更に詳しくは、各水車３０Ａ，３０Ｂは、図１及び図３に示すように、回転軸部３１，３２が、スリット部１０Ａの両端開口１，２の夫々における長手方向に延びる中心線Ｘ１，Ｘ２の２本を含んで広がる仮想第１平面Ｙをはさんでおり、仮想第１平面Ｙの対称位置で、中心線Ｘ１，Ｘ２に平行に延びている。また、各水車３０Ａ，３０Ｂは夫々の回転中心を含む仮想第２平面Ｗが壁体１０の消波用空間Ｓ側の側面と平行になるように配置されている。
【００１６】
上回転軸部３１は、図１及び図２に示すように、上壁体１１に貫設された貫通孔１１Ａを挿通し、貫通孔１１Ａの下部に配置されたスラスト軸受３６Ａ及びラジアル軸受３６Ｂに支持されている。上回転軸部３１は上壁体１１上に配置された発電機５０の回転軸に上端部が連結している。このように、発電機５０は各水車３０Ａ，３０Ｂ毎に設けられている。
【００１７】
上回転軸部３１は円盤状の上支持板部３３の中央部に下端部を連結している。上支持板部３３はスリット部１０Ａの上縁よりも上方に位置している。下回転軸部３２は下壁体１２の上面に固定された振れ止め具３７の上方に開口した凹部に下端部が差し込まれている。また、下回転軸部３２は円盤状の下支持板部３４の中央部に上端部を連結している。下支持板部３４はスリット部１０Ａの下縁よりも下方に位置している。回転翼部３５は、図３に示すように、２個の半円筒部材で構成されている。これら半円筒部材は、回転軸部３１，３２の中心軸を対称にして配置され、上端部を上支持板部３３に連結し、下端部を下支持板部３４に連結している。このように、各水車３０Ａ，３０Ｂはサポニウス型水車である。
【００１８】
回転翼部３５は、一対の水車３０の各水車３０Ａ，３０Ｂが回転する方向を異ならせるように、取り付けられている。つまり、一対の水車３０の内、スリット部１０Ａから見て左側（図３において上側）に位置する一方の第１水車３０Ａは、上方から見た水平面視において、反時計方向に回転するように、回転軸部３１，３２に対して時計方向に半円筒状の回転翼部３５が開口して取り付けられている。また、一対の水車３０の内、スリット部１０Ａから見て右側（図３において下側）に位置する他方の第２水車３０Ｂは、上方から見た水平面視において、時計方向に回転するように、回転軸部３１，３２に対して反時計方向に半円筒状の回転翼部３５が開口して取り付けられている。
【００１９】
また、一対の水車３０における第１水車３０Ａの回転軸部３１，３２と、第２水車３０Ｂの回転軸部３１，３２とは、スリット部１０Ａの両端開口１，２の短手方向（左右方向）の幅よりも間隔を広く取り付けられている。また、一対の水車３０における第１水車３０Ａと第２水車３０Ｂとは僅かな隙間を有した状態で併設されている。このように、各水車３０Ａ，３０Ｂは直径がスリット部１０Ａの両端開口１，２の短手方向の幅よりも大きく形成されている。
【００２０】
この波力発電装置は、スリット部１０Ａを通過して消波用空間Ｓに流入する（水車３０Ａ，３０Ｂ側へ移動する）波のほとんどが、一対の水車３０における第１水車３０Ａの回転中心と、第２水車３０Ｂの回転中心との間の中間領域を通過し、この中間領域で各水車３０Ａ，３０Ｂの回転翼部３５に衝突する。これによって、一対の水車３０の一方の第１水車３０Ａは、上方から見た水平面視において、反時計方向に回転し、他方の第２水車３０Ｂは、上方から見た水平面視において、時計方向に回転する。
【００２１】
この際、この波力発電装置は、各水車３０Ａ，３０Ｂが、夫々の回転軸部３１，３２をスリット部１０Ａの両端開口１，２の短手方向の幅よりも間隔を広く取り付けられているため、スリット部１０Ａを通過した波は中間領域を確実に通過する。また、各水車３０Ａ，３０Ｂの直径がスリット部１０Ａの両端開口１，２の短手方向の幅よりも大きく形成されているため、中間領域を通過する波のエネルギーを確実に各水車３０Ａ，３０Ｂの回転エネルギーに変換することができる。
【００２２】
このように、この波力発電装置は、スリット部１０Ａを通過して消波用空間Ｓに流入した波のエネルギーのほとんどが各水車３０Ａ，３０Ｂの夫々の回転方向に回転するように利用することができる。そして、各水車３０Ａ，３０Ｂが回転することによって、各水車３０Ａ，３０Ｂの上回転軸部３１に連結された各発電機５０の回転軸が回転し、発電を行うことができる。
【００２３】
したがって、実施例１の波力発電装置は、波のエネルギーを各水車３０Ａ，３０Ｂの回転エネルギーに効率よく変換し、発電効率を高めることができる。
【００２４】
＜実施例２＞
実施例２の波力発電装置は、図４に示すように、第１水車３０Ａと第２水車３０Ｂの夫々の回転方向に波が効率的に回転力を付与することができるように、スリット部１０Ａ、各水車３０Ａ，３０Ｂの順に通過する第１方向の波Ｆ１、又は各水車３０Ａ，３０Ｂ、スリット部１０Ａの順に通過する第２方向の波Ｆ２を整流する整流部材２０，４０を備えている点が実施例１と相違する。他の構成は実施例１と同様であり、同一の構成は同一の符号を付し、詳細な説明を省略する。
【００２５】
この波力発電装置は、整流部材である第１整流部材２０と第２整流部材４０とを備えている。第１整流部材２０は一対の水車３０に対してスリット部１０Ａとは反対側の消波用空間Ｓ内に配置されている。第１整流部材２０は、水平断面形状が正方形である四角柱形状であり、仮想第１平面Ｙ上に対角線上の二つの角部２１，２２が位置している。また、第１整流部材２０は、仮想第１平面Ｙ上で一対の水車３０側に位置する角部２１が、一対の水車３０の間に形成された隙間に入り込んでいる。
【００２６】
第２整流部材４０は、一対の水車３０における各水車３０Ａ，３０Ｂの回転中心の両外側の外側領域で、仮想第２平面Ｗよりもスリット部１０Ａ側において、仮想第１平面Ｙの対称位置の２か所で壁体１０の消波用空間Ｓ側の側面から突出している。第２整流部材４０は、水平断面形状が三角形であって、壁体１０の側面から突出した先端部４１が約９０度に尖っている。第２整流部材４０は先端部４１から壁体１０に延びる２つの側面４２が同一幅を有している。
【００２７】
この波力発電装置は、第１方向の波Ｆ１が一対の水車３０における第１水車３０Ａの回転中心と、第２水車３０Ｂの回転中心との間の中間領域で各水車３０Ａ，３０Ｂの回転翼部３５に衝突する。これによって、第１水車３０Ａは、上方から見た水平面視において、反時計方向に回転し、第２水車３０Ｂは、上方から見た水平面視において、時計方向に回転する。一対の水車３０を通過した第１方向の波Ｆ１は第１整流部材２０の壁体１０側の側面２３によって左右方向（図４において上下方向）に分流される。
【００２８】
分流された第１方向の波Ｆ１は消波用空間Ｓ内を後壁体１３に向かって移動し、後壁体１３の内側面１３Ａに衝突して、移動方向が壁体１０に向かう方向に変化する。つまり、一対の水車３０、スリット部１０Ａの順に通過する第２方向の波Ｆ２となる。
【００２９】
第２方向の波Ｆ２は、第１整流部材２０の後壁体１３側の側面２４によって左右方向（図４において上下方向）に分流される。このため、第２方向の波Ｆ２は中間領域を通過せず、一対の水車３０における各水車３０Ａ，３０Ｂの回転中心の両外側の外側領域に向けて移動し、外側領域で各水車３０Ａ，３０Ｂの回転翼部３５に衝突する。このように、第２方向の波Ｆ２によっても、第１水車３０Ａは、上方から見た水平面視において、反時計方向に回転し、第２水車３０Ｂは、上方から見た水平面視において、時計方向に回転する。そして、各水車３０Ａ，３０Ｂの回転翼部３５に衝突した第２方向の波Ｆ２は、第２整流部材４０の側面４２によって、スリット部１０Ａに向けて移動し、スリット部１０Ａを通過する。
【００３０】
このように、この波力発電装置は、第１方向の波Ｆ１が各水車３０Ａ，３０Ｂを回転させる方向と、第２方向の波Ｆ２が各水車３０Ａ，３０Ｂを回転させる方向とが同じである。つまり、第１方向の波Ｆ１及び第２方向の波Ｆ２が各水車３０Ａ，３０Ｂの回転の抵抗にならない。このため、第１方向の波Ｆ１及び第２方向の波Ｆ２のエネルギーのほとんどを各水車３０Ａ，３０Ｂが夫々の回転方向に回転するように利用することができる。そして、各水車３０Ａ，３０Ｂが回転することによって、各水車３０Ａ，３０Ｂの上回転軸部３１に連結された各発電機５０の回転軸が回転し、発電を行うことができる。
【００３１】
したがって、実施例２の波力発電装置も、波のエネルギーを各水車３０Ａ，３０Ｂの回転エネルギーに効率よく変換し、発電効率を高めることができる。
【００３２】
＜実施例３＞
実施例３の波力発電装置は、図５に示すように、整流部材１２０，１４０の形態が実施例２と相違する。他の構成は実施例２と同様であり、同一の構成は同一の符号を付し、詳細な説明を省略する。
【００３３】
この波力発電装置は、整流部材である第１整流部材１２０と第２整流部材１４０とを備えている。第１整流部材１２０は一対の水車３０に対してスリット部１０Ａとは反対側の消波用空間Ｓ内に配置されている。第１整流部材１２０は、水平断面形状が変形四角柱形状であり、仮想第１平面Ｙ上に対角線上の二つの角部１２１，１２２が位置している。角部１２１から左右方向（図５において上下方向）に延びる壁体１０側の側面１２３は、第１水車３０Ａ、第２水車３０Ｂの上下支持板部３３，３４の外周に沿って湾曲した凹面である。この側面１２３の左右両端と角部１２２との間に形成された後壁体１３側の側面１２４は平面である。また、第１整流部材１２０は、仮想第１平面Ｙ上で一対の水車３０側に位置する角部１２１が、一対の水車３０の間に形成された隙間に入り込んでいる。
【００３４】
第２整流部材１４０は、一対の水車３０における各水車３０Ａ，３０Ｂの回転中心の両外側の外側領域で、仮想第２平面Ｗよりもスリット部１０Ａ側において、仮想第１平面Ｙの対称位置の２か所で壁体１０の消波用空間Ｓ側の側面から突出している。第２整流部材１４０は、上方から見た水平断面視において、壁体１０の側面から突出した先端部１４１から第１水車３０Ａ又は第２水車３０Ｂの上下支持板部３３，３４の外周に沿って湾曲した凹面である第１側面１４２と、先端部１４１から壁体１０に向けて直線状に延びて壁体１０に直交する第２側面１４３を有している。
【００３５】
この波力発電装置は、第１方向の波Ｆ１が一対の水車３０における第１水車３０Ａの回転中心と、第２水車３０Ｂの回転中心との間の中間領域で各水車３０Ａ，３０Ｂの回転翼部３５に衝突する。これによって、第１水車３０Ａは、上方から見た水平面視において、反時計方向に回転し、第２水車３０Ｂは、上方から見た水平面視において、時計方向に回転する。一対の水車３０を通過した第１方向の波Ｆ１は第１整流部材１２０の湾曲した側面１２３によって左右方向（図５において上下方向）に分流される。側面１２３が湾曲しているため、第１方向の波Ｆ１は後壁体１３に向かってスムーズに消波用空間Ｓ内を移動することができる。
【００３６】
また、第２方向の波Ｆ２は、第１整流部材１２０の側面１２４によって左右方向（図５において上下方向）に分流される。このため、第２方向の波Ｆ２は中間領域を通過せず、一対の水車３０における各水車３０Ａ，３０Ｂの回転中心の両外側の外側領域に向けて移動し、外側領域で各水車３０Ａ，３０Ｂの回転翼部３５に衝突する。このように、第２方向の波Ｆ２によっても、第１水車３０Ａは、上方から見た水平面視において、反時計方向に回転し、第２水車３０Ｂは、上方から見た水平面視において、時計方向に回転する。そして、各水車３０Ａ，３０Ｂの回転翼部３５に衝突した第２方向の波Ｆ２は、第２整流部材１４０の湾曲した第１側面１４２によって、スリット部１０Ａに向けて移動し、スリット部１０Ａを通過する。第１側面１４２が湾曲しているため、第２方向の波Ｆ２はスリット部１０Ａに向けてスムーズに移動することができる。
【００３７】
このように、この波力発電装置も、第１方向の波Ｆ１が各水車３０Ａ，３０Ｂを回転させる方向と、第２方向の波Ｆ２が各水車３０Ａ，３０Ｂを回転させる方向とが同じである。つまり、第１方向の波Ｆ１及び第２方向の波Ｆ２が各水車３０Ａ，３０Ｂの回転の抵抗にならない。このため、第１方向の波Ｆ１及び第２方向の波Ｆ２のエネルギーのほとんどを各水車３０Ａ，３０Ｂが夫々の回転方向に回転するように利用することができる。そして、各水車３０Ａ，３０Ｂが回転することによって、各水車３０Ａ，３０Ｂの上回転軸部３１に連結された各発電機５０の回転軸が回転し、発電を行うことができる。
【００３８】
したがって、実施例３の波力発電装置も、波のエネルギーを各水車３０Ａ，３０Ｂの回転エネルギーに効率よく変換し、発電効率を高めることができる。
【００３９】
＜実施例４＞
実施例４の波力発電装置は、図６に示すように、一対の水車１３０の各水車１３０Ａ、１３０Ｂの回転方向と配置位置等、及び整流部材６０、８０の配置位置等が実施例２と相違する。他の構成は実施例１〜３と同様であり、同一の構成は同一の符号を付し、詳細な説明を省略する。
【００４０】
この波力発電装置は、スリット部１０Ａを有する壁体１０から後壁体１３に向けて、第３整流部材６０、一対の水車１３０、及び第４整流部材８０の順に配置されている。つまり、一対の水車１３０は、壁体１０の消波用空間Ｓ側の側面から離れて配置され、スリット部１０Ａと一対の水車１３０との間に第３整流部材６０が配置されている。
【００４１】
一対の水車１３０の各回転軸部３１、３２は、仮想第１平面Ｙをはさんでおり、仮想第１平面Ｙの対称位置において、スリット部１０Ａの両端開口１，２の夫々における長手方向に延びる中心線Ｘ１，Ｘ２に平行に延びている。一対の水車１３０の内、スリット部１０Ａから見て左側（図６において上側）に位置する一方の第１水車１３０Ａは、上方から見た水平面視において、時計方向に回転するように、回転軸部３１、３２に対して反時計方向に半円筒状の回転翼部３５が開口して取り付けられている。また、一対の水車１３０の内、スリット部１０Ａから見て右側（図６において下側）に位置する他方の第２水車１３０Ｂは、上方から見た水平面視において、半時計方向に回転するように、回転軸部３１、３２に対して時計方向に半円筒状の回転翼部３５が開口して取り付けられている。
【００４２】
一対の水車１３０における第１水車１３０Ａの回転軸部３１、３２と、第２水車１３０Ｂの回転軸部３１、３２とは、スリット部１０Ａの両端開口１，２の短手方向の幅よりも間隔を広く取り付けられている。また、一対の水車１３０における第１水車１３０Ａと第２水車１３０Ｂとは隙間を有した状態で併設されている。つまり、各水車１３０Ａ，１３０Ｂは夫々の回転中心を含む仮想第２平面Ｗが壁体１０の消波用空間Ｓ側の側面と平行になるように配置されている。また、各水車１３０Ａ、１３０Ｂは直径がスリット部１０Ａの両端開口１，２の短手方向の幅よりも大きく形成されている。
【００４３】
第３整流部材６０は、水平断面形状が正方形である四角柱形状であり、仮想第１平面Ｙ上に対角線上の二つの角部６１、６２が位置している。また、第３整流部材６０は、仮想第１平面Ｙ上でスリット部１０Ａ側に位置する角部６１が、壁体１０の消波用空間Ｓ側の側面の近傍に配置されている。また、第３整流部材６０は、一対の水車１３０側に位置する角部６２が、一対の水車１３０の間に形成された隙間に入り込んでいる。
【００４４】
第４整流部材８０は、水平断面形状が正方形である四角柱形状であり、一対の水車１３０における各水車１３０Ａ、１３０Ｂの回転中心の両外側の外側領域であって、各回転中心よりもスリット部１０Ａから離れて仮想第１平面Ｙの対称位置の２か所に配置されている。また、第４整流部材８０は、仮想第１平面Ｙと平行な仮想第３平面Ｚ上に対角線上の二つの角部が位置している。第４整流部材８０は、仮想第３平面Ｚ上で一対の水車１３０側に位置する角部８１が、隣接する一対の水車１３０の間に形成された隙間に入り込んでいる。
【００４５】
この波力発電装置は、第１方向の波Ｆ１がスリット部１０Ａを通過して消波用空間Ｓに移動すると、第３整流部材６０の壁体１０側の側面６３によって左右方向（図６において上下方向）に分流される。分流された第１方向の波Ｆ１は一対の水車１３０の外側領域に向けて移動し、外側領域で各水車１３０Ａ、１３０Ｂの回転翼部３５に衝突する。このように、第１方向の波Ｆ１によって、第１水車１３０Ａは、上方から見た水平面視において、時計方向に回転し、第２水車１３０Ｂは、上方から見た水平面視において、反時計方向に回転する。
【００４６】
一対の水車１３０を通過した第１方向の波Ｆ１は、消波用の空間Ｓ内を後壁体１３に向かって移動し、後壁体１３の内側面１３Ａに衝突して、移動方向が壁体１０に向かう方向に変化する。つまり、一対の水車１３０、スリット部１０Ａの順に追加する第２方向の波Ｆ２となる。
【００４７】
第２方向の波Ｆ２は、第４整流部材８０の後壁体１３側の側面８４によって一対の水車１３０における第１水車１３０Ａの回転中心と、第２水車１３０Ｂの回転中心との間の中間領域に向けて移動し、中間領域で各水車１３０Ａ、１３０Ｂの回転翼部３５に衝突する。これによって、第１水車１３０Ａは、上方から見た水平面視において、時計方向に回転し、第２水車１３０Ｂは、上方から見た水平面視において、反時計方向に回転する。
【００４８】
このように、この波力発電装置は、第１方向の波Ｆ１が各水車１３０Ａ、１３０Ｂを回転させる方向と、第２方向の波Ｆ２が各水車１３０Ａ、１３０Ｂを回転させる方向とが同じである。つまり、第１方向の波Ｆ１及び第２方向の波Ｆ２が各水車１３０Ａ、１３０Ｂの回転の抵抗にならない。このため、第１方向の波Ｆ１及び第２方向の波Ｆ２のエネルギーのほとんどを各水車１３０Ａ、１３０Ｂが夫々の回転方向に回転するように利用することができる。そして、各水車１３０Ａ、１３０Ｂが回転することによって、各水車１３０Ａ、１３０Ｂの上回転軸部３１に連結された各発電機５０の回転軸が回転し、発電を行うことができる。
【００４９】
したがって、実施例４の波力発電装置も、波のエネルギーを水車の回転エネルギーに効率よく変換し、発電効率を高めることができる。
【００５０】
本発明は上記記述及び図面によって説明した実施例１〜４に限定されるものではなく、例えば次のような実施例も本発明の技術的範囲に含まれる。
（１）実施例１〜４では、各水車の上回転軸部の上端部に発電機の回転軸を連結し、各水車の回転によって直接的に発電機を回転して発電を行ったが、各水車の上回転軸部の上端部に流体圧ポンプを連結し、各流体圧ポンプを流体回路に連結して流体回路中に設けた流体圧モータを回転駆動し、流体圧モータの回転駆動によって発電する発電機を備えて発電を行ってもよい。
（２）実施例１〜４では、サポニウス型水車を利用したが、他の形態の水車であってもよい。
（３）実施例１〜４では、スリット部の長手方向が鉛直方向に延びていたが、水平方向等の他の方向に延びるようにスリット部を配置してもよい。
（４）実施例１〜４では、複数のスリット部が等間隔で並んでいるが、各スリット部を等間隔に配置しなくてもよい。また、並んで配置しなくてもよい。
（５）実施例１〜４では、壁体は消波用空間を形成する中空の直方体形状の箱体を構成しているが、壁体のみを海、川又は湖に配置してもよい。
【符号の説明】
【００５１】
１，２…両端開口
１０…壁体
１０Ａ…スリット部
３０…一対の水車
３０Ａ，３０Ｂ，１３０Ａ，１３０Ｂ…水車（３０Ａ、１３０Ａ…第１水車、３０Ｂ，１３０Ｂ…第２水車）
３１，３２…回転軸部（３１…上回転軸部、３２…下回転軸部）
３５…回転翼部
５０…発電機
２０，４０，６０，８０，１２０，１４０…整流部材（２０、１２０…第１整流部材、４０，１４０…第２整流部材、６０…第３整流部材、８０…第４整流部材）
Ｆ１…第１方向の波
Ｆ２…第２方向の波
Ｘ１，Ｘ２…（両端開口の長手方向に延びる）中心線
Ｙ…仮想第１平面
Ｗ…仮想第２平面
【図１】
2015214926.tif 000003
【図２】
2015214926.tif 000004
【図３】
2015214926.tif 000005
【図４】
2015214926.tif 000006
【図５】
2015214926.tif 000007
【図６】
2015214926.tif 000008